(57)【要約】      （修正有）【課題】紙製の外箱と外箱内に収容される紙製の製品本体保持体とを備えた包装体において、コストの低廉化が図れる包装体を提供する。【解決手段】紙製の外箱１００と外箱内に収容される紙製の製品本体保持体２００とを備えた包装体において、外箱１００の上縁に折り曲げ可能なフラップ１７０が設けられており、フラップ１７０に製品本体保持体２００の移動を規制するためのストッパ１７５が形成されている。一例としては、製品本体保持体２００が外箱１００内の一側面がわに寄せられた状態で外箱１００内に収納されており、外箱１００の上縁の他側面がわに折り曲げ可能なフラップ１７０が設けられており、フラップ１７０に製品本体保持体２００の他側面がわへの移動を規制するためのストッパ１７５が形成されている。【選択図】図２
2008024335.tif 000002
【特許請求の範囲】
【請求項１】
紙製の外箱と外箱内に収容される紙製の製品本体保持体とを備えた包装体において、
外箱の上縁に折り曲げ可能なフラップが設けられており、フラップに製品本体保持体の移動を規制するためのストッパが形成されていることを特徴とする包装体。
【請求項２】
製品本体保持体が外箱内の一側面がわに寄せられた状態で外箱内に収納されており、外箱の上縁の他側面がわに折り曲げ可能なフラップが設けられており、フラップに製品本体保持体の他側面がわへの移動を規制するためのストッパが形成されていることを特徴とする請求項１に記載の包装体。
【請求項３】
製品本体保持体が外箱内の一側面がわと他側面がわの中間部に収納されており、外箱の上縁の一側面がわに折り曲げ可能な第１フラップが設けられているとともに、外箱の上縁の他側面がわに折り曲げ可能な第２フラップが設けられているとともに、第１フラップに製品本体保持体の一側面がわへの移動を規制するための第１ストッパが形成され、第２フラップに製品本体保持体の他側面がわへの移動を規制するための第２ストッパが形成されていることを特徴とする請求項１に記載の包装体。
【発明の詳細な説明】
【技術分野】
【０００１】
この発明は、デジタルカメラ、携帯型電話機、ポータブルプレヤー等の電気機器を梱包するための梱包体に関し、特に、紙製の外箱と外箱内に収容される紙製の製品本体保持体とを備えた包装体に関する。
【背景技術】
【０００２】
一般的に、デジタルカメラは、カメラ本体の他に二次電池、充電器、ＡＣコード、ＵＳＢケーブル、ＡＶケーブル、取扱説明書、ＣＤ−ＲＯＭといったアクセサリー部品が梱包体に梱包された状態で、製品として流通販売されている。
【０００３】
梱包体は、段ボール製の外箱と、外箱内に収納された段ボール製のカメラ本体保持体とからなる。カメラ本体はカメラ本体を衝撃から保護するためのカメラ本体保持体に収納されている。また、カメラ本体保持体は、外箱内において、カメラ本体とその他の梱包物とを分離し、梱包物が移動して片寄るのを防止している。
【０００４】
このようなことから、カメラ本体保持体は、それ自体が外箱の中で容易に移動しないような構造とする必要がある。
【０００５】
図７は、外箱内に収納される従来のカメラ本体保持体を示している。
【０００６】
カメラ本体保持体５００は、前面形成部５１０、後面形成部５２０、左側面形成部５３０、右側面形成部５４０および底面壁５５０を備えている。前面形成部５１０は、外側垂直壁５１１、外側垂直壁５１１の上縁から後方に伸びた水平壁５１２および水平壁５１２の後縁の左端から右端よりまでの部分から下方に伸びた内側垂直壁５１３から構成されている。後面形成部５２０は、外側垂直壁５２１、外側垂直壁５２１の上縁のから前方に伸びた水平壁５２２および水平壁５２２の前縁の左端から右端よりまでの部分から下方に伸びた内側垂直壁５２３から構成されている。
【０００７】
前面形成部５１０の内側垂直壁５１３、後面形成部５２０の内側垂直壁５２３、左側面形成部５３０、右側面形成部５４０および底面壁５５０によって囲まれた空間６００にカメラ本体が収納される。
【０００８】
左側面形成部５３０および右側面形成部５４０の後端部と、後面形成部５２０の内側垂直壁５２３とは繋がっており、それらの連結部７００は重ね合わせられている。同様に、左側面形成部５３０および右側面形成部５４０の前端部と、前面形成部５１０の内側垂直壁５１３とは繋がっており、それらの連結部は重ね合わせられている。したがって、空間６００を形成するためだけであれば、カメラ本体保持体５００の左右長さとしては、前面形成部５１０の内側垂直壁５１３（後面形成部５２０の内側垂直壁５２３）の左右の長さ分があれば足りることになる。
【０００９】
上述したように、カメラ本体保持体は、それ自体が外箱の中で容易に移動しないような構造とする必要がある。このカメラ本体保持体では、カメラ本体保持体の奥行（前面形成部５１０の外側垂直壁５１１から後面形成部５２０の外側垂直壁５２１までの距離）は、外箱内部の奥行きとほぼ等しい。このため、カメラ本体保持体は外箱内で前後方向に移動しない。
【００１０】
ところが、前面形成部５１０の内側垂直壁５１３または後面形成部５２０の内側垂直壁５２３の左右方向長さは、外箱内部の左右方向長さより短い。そこで、カメラ本体保持体は外箱内で左右方向に移動しないようにするために、前面形成部５１０の外側垂直壁５１１および後面形成部５２０の外側垂直壁５２１の右側を、内側垂直壁５１３、５２３の右端より右側に伸ばすことにより、外側垂直壁５１１、５２１の左右長さを外箱内部の左右方向長さに一致させている。
【００１１】
一般的に段ボール製の外箱やカメラ本体保持体は、矩形のシート状の段ボールを抜き型を用いて打ち抜くことにより、製造される。このため、材料コストを下げるには、矩形のシート状の材料の面積を小さくすることが重要となる。
【００１２】
図７のカメラ本体保持体５００では、前面形成部５１０の外側垂直壁５１１および後面形成部５２０の外側垂直壁５２１の左右長を、外箱内部の左右方向長さに一致させる必要があるため、材料面積が大きくなり、コストが高くなるという問題がある。
【特許文献１】特開２０００−７２１９６号公報
【特許文献２】特開２００３−４３０３８号公報
【特許文献３】特開平６−２６３１８１号公報
【発明の開示】
【発明が解決しようとする課題】
【００１３】
この発明は、紙製の外箱と外箱内に収容される紙製の製品本体保持体とを備えた包装体において、コストの低廉化が図れる包装体を提供することを目的とする。
【課題を解決するための手段】
【００１４】
請求項１に記載の発明は、紙製の外箱と外箱内に収容される紙製の製品本体保持体とを備えた包装体において、外箱の上縁に折り曲げ可能なフラップが設けられており、フラップに製品本体保持体の移動を規制するためのストッパが形成されていることを特徴とする。
【００１５】
請求項２に記載の発明は、請求項１に記載の発明において、製品本体保持体が外箱内の一側面がわに寄せられた状態で外箱内に収納されており、外箱の上縁の他側面がわに折り曲げ可能なフラップが設けられており、フラップに製品本体保持体の他側面がわへの移動を規制するためのストッパが形成されていることを特徴とする。
【００１６】
請求項３に記載の発明は、請求項１に記載の発明において、製品本体保持体が外箱内の一側面がわと他側面がわの中間部に収納されており、外箱の上縁の一側面がわに折り曲げ可能な第１フラップが設けられているとともに、外箱の上縁の他側面がわに折り曲げ可能な第２フラップが設けられているとともに、第１フラップに製品本体保持体の一側面がわへの移動を規制するための第１ストッパが形成され、第２フラップに製品本体保持体の他側面がわへの移動を規制するための第２ストッパが形成されていることを特徴とする。
【発明の効果】
【００１７】
この発明によれば、紙製の外箱と外箱内に収容される紙製の製品本体保持体とを備えた包装体において、コストの低廉化が図れるようになる。
【発明を実施するための最良の形態】
【００１８】
以下、この発明をデジタルカメラを梱包する梱包体に適用した場合の実施例について説明する。
【実施例１】
【００１９】
図１および図２は、上面が開放された状態の包装体の外観を示している。図３は、上面が閉じられた状態の包装体の外観を示している。図４は、図３のIV-IV 線に沿う断面図を示している。
【００２０】
包装体は、段ボール製の外箱１００と、外箱１００内に収納される段ボール製のカメラ本体保持体２００とからなる。外箱１００およびカメラ本体保持体２００は、それぞれ矩形のシート状の段ボールを抜き型を用いて打ち抜くことにより、製造されている。
【００２１】
カメラ本体保持体２００には、デジタルカメラ本体（カメラ本体）３０１が保持されている。外箱１００内におけるカメラ本体保持体２００の左側面壁の左側の空間には、充電器３０２が収納される。外箱１００内におけるカメラ本体保持体２００の右側面壁の右側の空間には、ＡＶケーブル３０３、ＵＳＢケーブル３０４、二次電池（図示略）等が収納される。外箱１００内におけるカメラ本体保持体２００の底面壁の下側の空間には、ＡＣコード３０５（図４参照）が収納される。
【００２２】
なお、外箱１００の上部には、図４に示すように、外箱１００の前面壁の上縁に連設された内蓋１８０と外箱１００の後面壁の上縁に連設された外蓋１９０との間に空間が形成されるようになっており、この空間内に取扱説明書およびＣＤ−ＲＯＭ等の付属品３０６が収納される。
【００２３】
外箱１００は、前面壁１１０、後面壁１２０、左側面壁１３０、右側面壁１４０、底面壁１５０、左側面壁１３０の上縁に連設された左側フラップ１６０、右側面壁１４０の上縁に連設された右側フラップ１７０、前面壁１１０の上縁に連設された内蓋１８０および後面壁１２０の上縁に連設された外蓋１９０を備えている。
【００２４】
カメラ本体保持体２００は、図５に示すように、前面形成部２１０、後面形成部２２０、左側面形成部２３０、右側面形成部２４０および底面壁２５０を備えている。図６に、カメラ本体保持体２００の展開状態を示す。図６において、破線は山折り線を、一点鎖線は谷折り線を示している。また、図６において、二点鎖線Ｓで示す部分は、図７の従来例において存在していた部分を示している。
【００２５】
前面形成部２１０は、外側垂直壁２１１、外側垂直壁２１１の上縁から後方に伸びた水平壁２１２および水平壁２１２の後縁から下方に伸びた内側垂直壁２１３から構成されている。後面形成部２２０は、外側垂直壁２２１、外側垂直壁２２１の上縁から前方に伸びた水平壁２２２および水平壁２２２の前縁から下方に伸びた内側垂直壁２２３から構成されている。
【００２６】
左側面形成部２３０は、左側面壁２３１、左側面壁２３１の前縁から左側に伸びた前側左方突出壁２３２および左側面壁２３１の後縁から左側に伸びた後側左方突出壁２３３から構成されている。前側左方突出壁２３２および後側左方突出壁２３３は、傾斜状下縁を有している。
【００２７】
右側面形成部２４０は、右側面壁２４１、右側面壁２４１の前縁から右側に伸びた前側右方突出壁２４２および右側面壁２４１の後縁から右側に伸びた後側右方突出壁２４３から構成されている。前側右方突出壁２４２および後側右方突出壁２４３は、傾斜状下縁を有している。
【００２８】
前面形成部２１０の内側垂直壁２１３、後面形成部２２０の内側垂直壁２２３、左側面形成部２３０の左側面壁２３１、右側面形成部２４０の右側面壁２４１および底面壁２５０によって、上面が開放したカメラ本体収納凹所が形成されており、この凹所内にカメラ本体が収納される。
【００２９】
前面形成部２１０の内側垂直壁２１３の下縁は、水平状下縁とその両側の傾斜状下縁とを有している。内側垂直壁２１３の水平状下縁は底面壁２５０の前縁と繋がっている。内側垂直壁２１３の左側の傾斜状下縁は、左側面形成部２３０の前側左方突出壁２３２の傾斜状下縁に繋がっている。内側垂直壁２１３の右側の傾斜状下縁は、右側面形成部２４０の前側右方突出壁２４２の傾斜状下縁に繋がっている。
【００３０】
後面形成部２２０の内側垂直壁２２３の下縁は、水平状下縁とその両側の傾斜状下縁とを有している。内側垂直壁２２３の水平状下縁は底面壁２５０の後縁と繋がっている。内側垂直壁２２３の左側の傾斜状下縁は、左側面形成部２３０の後側左方突出壁２３３の傾斜状下縁に繋がっている。内側垂直壁２２３の右側の傾斜状下縁は、右側面形成部２４０の後側右方突出壁２４３の傾斜状下縁に繋がっている。
【００３１】
左側面形成部２３０の左側面壁２３１の下縁と底面壁２５０の左縁とは繋がっている。右側面形成部２４０の右側面壁２４１の下縁と底面壁２５０の右縁とは繋がっている。左側面形成部２３０の左側面壁２３１の下縁の後より位置には、下方突出部２３１ａが形成されている。右側面形成部２４０の右側面壁２４１の下縁の前より位置には、下方突出部２４１ａが形成されている。これらの下方突出部２３１ａ、２４１ａは、底面壁２５０に切り込みが入れられることにより形成されている。これらの下方突出部２３１ａ、２４１ａの下端は、前面形成部２１０の外側垂直壁２１１および後面形成部２２０の外側垂直壁２２１の下端と同じ高さに位置している。
【００３２】
前面形成部２１０の外側垂直壁２１１の中央部には、切り込みが入れられ、その切り込みの内側部分が後方に折られることにより、先端に係止部付き差込部２１４ａを有する後方突出片２１４が形成されている。後方突出片２１４の係止部付き差込部２１４ａは、前面形成部２１０の内側垂直壁２１３の中央下端部に形成されたスリット２１３ａに抜けないように差し込まれている。
【００３３】
同様に、後面形成部２２０の外側垂直壁２２１の中央部には、切れ込みが入れられ、その切り込みの内側部分が前方に折られることにより、先端に係止部付き差込部２２４ａを有する前方突出片２２４が形成されている。前方突出片２２４の係止部付き差込部２２４ａは、後面形成部２２０の内側垂直壁２２３の中央下端部に形成されたスリット２２３ａに抜けないように差し込まれている。
【００３４】
左側面形成部２３０の左側面壁２３１の前端には、前側左方突出壁２３２に切り込みが入れられることにより形成された前方突出状の係止部付き差込部２３１ｂが形成されている。この係止部付き差込部２３１ｂは、前面形成部２１０の内側垂直壁２１３の左側部に形成されたスリット２１３ｂに抜けないように差し込まれている。
【００３５】
左側面形成部２３０の左側面壁２３１の後端には、後側左方突出壁２３３に切り込みが入れられることにより形成された後方突出状の係止部付き差込部２３１ｃが形成されている。この係止部付き差込部２３１ｃは、後面形成部２２０の内側垂直壁２２３の左側部に形成されたスリット２２３ｂに抜けないように差し込まれている。
【００３６】
右側面形成部２４０の右側面壁２４１の前端には、前側右方突出壁２４２に切り込みが入れられることにより形成された前方突出状の係止部付き差込部２４１ｂが形成されている。この係止部付き差込部２４１ｂは、前面形成部２１０の内側垂直壁２１３の右側部に形成されたスリット２１３ｃに抜けないように差し込まれている。
【００３７】
右側面形成部２４０の右側面壁２４１の後端には、後側右方突出壁２４３に切り込みが入れられることにより形成された後方突出状の係止部付き差込部２４１ｃが形成されている。この係止部付き差込部２４１ｃは、後面形成部２２０の内側垂直壁２２３の右側部に形成されたスリット２２３ｃに抜けないように差し込まれている。
【００３８】
このカメラ本体保持体２００の左右長さとしては、カメラ本体収納凹所を形成するのに必要な長さ、つまり、前面形成部２１０の内側垂直壁２１３（後面形成部２２０の内側垂直壁２２３）の左右の長さと等しい長さに形成されている。このため、このカメラ本体保持体２００では、図７の従来例に比べて、前面形成部２１０の外側垂直壁２１１および後面形成部２２０の外側垂直壁２２１の長さが短くなっている。具体的には、従来例に比べて、図６にＳで示す部分が省略されている。
【００３９】
このようなカメラ本体保持体２００は、図３および図４に示すように、外箱１００内の左側面がわに寄せられて収納される。
【００４０】
外箱１００の左側フラップ１６０は、外箱１００内に収められた状態において、外箱１００の左側面壁１３０の上縁から右側にのびた第１水平壁１６１、第１水平壁１６１の右縁から下方に伸びた垂直壁１６２および垂直壁１６２の下縁から右方に伸びた第２水平壁１６３から構成されている。そして、第２水平壁１６３は、カメラ本体保持体２００上に載置される。第２水平壁１６３の先端部（右半分）は、その幅（前後方向の長さ）が狭く形成されている。第２水平壁１６３の先端部（右半分）には、左側フラップ１６０を開き易くするために孔１６４が開けられている。
【００４１】
第２水平壁１６３の下縁の前後中央部には、垂直壁１６２に切り込みが形成されることにより、左方突出片１６３ａが形成されている。左方突出片１６３ａの左端は外箱１００の左側面壁１３０の内面に当接している。
【００４２】
外箱１００の右側フラップ１７０は、外箱１００内に収められた状態において、外箱１００の右側面壁１４０の上縁から左側にのびた第１水平壁１７１、第１水平壁１７１の右縁から下方に伸びた垂直壁１７２および垂直壁１７２の下縁から左方に伸びた第２水平壁１７３から構成されている。第２水平壁１７３の先端部（左半分）は、その幅（前後方向の長さ）が狭く形成されている。第２水平壁１７３の先端部（左半分）には、右側フラップ１７０を開き易くするために孔１７４が開けられている。
【００４３】
第２水平壁１７３の下縁の前後中央部には、垂直壁１７２に切り込みが形成されることにより、右方突出片１７３ａが形成されている。右方突出片１７３ａの右端は外箱１００の右側面壁１４０の内面に当接している。
【００４４】
第２水平壁１７３の左右の長さは、その先端（左端）がカメラ本体保持体２００の右側面形成部２４０の右側面壁２４１より若干左側に位置する長さに形成されている。したがって、第２水平壁１７３の先端部は、カメラ本体保持体２００の右側面形成部２４０の右側面壁２４１上に載置される。また、第２水平壁１７３の先端部（左半分）の幅は、その両端（前縁および後縁）それぞれがカメラ本体保持体２００の右側面形成部２４０の前後の右方突出壁２４２、２４３の若干内側に位置するような、長さに形成されている。
【００４５】
第２水平壁１７３の先端部（左半分）の両側（前縁および後縁）には、下方突出状のストッパ１７５、１７６が連設されている。このストッパ１７５、１７６は、第２水平壁１７３の先端部がカメラ本体保持体２００の右側面形成部２４０の右側面壁２４１上に載置された際に、カメラ本体保持体２００の右側面形成部２４０の前後の右方突出壁２４２、２４３の内側に入り、かつその左端がカメラ本体保持体２００の右側面形成部２４０の右側面壁２４１の右側面に当接するような位置に形成されている。
【００４６】
このストッパ１７５、１７６により、外箱１００内の左側面がわに寄せられて収納されたカメラ本体保持体２００が右側に移動するのを阻止できる。
【００４７】
外箱１００の内蓋１８０は、閉じられた状態において、外箱１００の前面壁１１０の上縁から後方に伸びた水平状の連結部１８１、水平状連結部１８１から下方に伸びた前面壁１８２、前面壁１８２に連設された水平壁（内蓋本体）１８３および水平壁１８３の後縁から上方に伸びた後面壁１８４からなる。水平壁１８３は、左側フラップ１６０の第２水平壁１６３および右側フラップ１７０の第２水平壁１７３の上側に載置される。
【００４８】
水平状連結部１８１の幅中央部には、スリット１８１ａが形成されている。また、前面壁１８２には、スリット１８１ａの幅中央部に繋がった切り欠き１８２ａが形成されている。
【００４９】
外箱１００の外蓋１９０は、外蓋本体１９１と外蓋本体１９１その前縁に形成された差し込み片１９２とからなる。外蓋本体１９１と差し込み片１９２との境界の幅中央部にはスリット１９３が形成されている。差し込み片１９２は、内蓋１８０のスリット１８１ａから、外箱１００の前面壁１１０と内蓋１８０の前面壁１８２との間の空間に差し込まれる。
【００５０】
外箱１００の前面壁１１０の幅中央の上部には、切り込みが入れられることにより、前側フラップ１１１が形成されている。前側フラップ１１１の上側には、差し込み片１１１ａが連設されている。差し込み片１１１ａは、外蓋１９０に形成されたスリット１９３に差し込まれることにより、外蓋１９０の開放が禁止される。
【００５１】
上記実施例によれば、カメラ本体保持体２００の前面形成部２１０の外側垂直壁２１１および後面形成部２２０の外側垂直壁２２１の長さを、従来例（図７参照）よりも短くすることができるので、カメラ本体保持体２００の材料面積を小さくすることができ、コストを下げることがてきる。なお、右側フラップ１７０にはストッパ１７５、１７６が設けられているが、外箱１００の材料取りにおいて、従来においては捨てられていた部分にストッパ１７５、１７６が設けられているため、外箱１００のコストは従来と変わらない。      
【００５２】
上記実施例では、カメラ本体保持体２００は外箱１００内に左側面がわに寄せられて収納されているが、カメラ本体保持体２００を外箱１００内の左側面と右側面との中間部に収納したい場合にも、この発明を適用することができる。この場合には、左フラップ１６０に、カメラ本体保持体２００の左方向移動を阻止するためのストッパを設けるとともに、右フラップ１７０にカメラ本体保持体２００の右方向移動を阻止するためのストッパを設ければよい。
【図面の簡単な説明】
【００５３】
【図１】カメラ本体等が収納されかつ上面が開放された状態の包装体の外観を示す斜視図である。
【図２】上面が開放された状態の包装体の外観を示す斜視図である。
【図３】上面が閉じられた状態の包装体の外観を示す斜視図である。
【図４】図３のIV-IV 線に沿う断面図を示している。
【図５】カメラ本体保持体を示す斜視図である。
【図６】カメラ本体保持体の展開図である。
【図７】従来のカメラ本体保持体を示す斜視図である。
【符号の説明】
【００５４】
１００  外箱
１７０  右フラップ
１７５、１７６  ストッパ
２００  カメラ本体保持体
【図１】
2008024335.tif 000003
【図２】
2008024335.tif 000004
【図３】
2008024335.tif 000005
【図４】
2008024335.tif 000006
【図５】
2008024335.tif 000007
【図６】
2008024335.tif 000008
【図７】
2008024335.tif 000009